(57)【要約】【課題】簡単な構成で確実に洗浄液の供給を検知することができるとともに、搬送面幅方向の全域に均一に洗浄液を拡散し散布して遊技媒体の洗浄を確実に行うことができる遊技媒体洗浄装置を提供する。【解決手段】ベルトコンベア５のベルト２の搬送面上にノズル８から洗浄液を供給し洗浄研磨する遊技媒体洗浄装置のノズル８直下方に、ノズル８により供給される洗浄液を受けることによって洗浄液供給状態を検知するとともに、洗浄液をベルト２の搬送面上に該搬送面の幅方向略全域に拡散して散布する板状部材９を配設し、ノズル８から供給された洗浄液を板状部材９で受けて拡散して散布するとともに、板状部材９の傾動をセンサで検知して洗浄液の供給状態を検知できるようにする。【選択図】図１
2009011503.tif 000002
【特許請求の範囲】
【請求項１】
遊技媒体を搬送面に載置して搬送する搬送部材を有する搬送手段と、前記搬送部材の搬送面上に洗浄液を供給する洗浄液供給手段とを備えた遊技媒体洗浄装置において、
前記洗浄液供給手段により前記搬送部材の搬送面上に供給される洗浄液を該搬送部材の搬送面の直上方で受ける位置に、前記洗浄液供給手段により供給される洗浄液を受けることによって該洗浄液供給手段による洗浄液供給状態を検知するとともに、前記洗浄液供給手段により供給される洗浄液を前記搬送部材の搬送面上に該搬送面の幅方向に拡散して散布する検知・拡散手段を設けたことを特徴とする遊技媒体洗浄装置。
【請求項２】
前記検知・拡散手段は、前記洗浄液供給手段により供給される洗浄液を受けて前記搬送部材の搬送面上に該搬送面の幅方向に拡散して散布可能とするよう配置した複数の切欠あるいは切抜孔からなる散布部を有し、該散布部により前記搬送部材の搬送面上に洗浄液を散布することを特徴とする請求項１記載の遊技媒体洗浄装置。
【請求項３】
前記検知・拡散手段は、前記搬送部材の搬送面の直上方で傾動可能に軸支された板状部材を備え、該板状部材が前記洗浄液供給手段により供給される洗浄液を受けて傾動することにより該洗浄液供給手段による洗浄液供給状態を検知することを特徴とする請求項１記載の遊技媒体洗浄装置。
【請求項４】
前記板状部材は、前記洗浄液供給手段により供給される洗浄液を該板状部材上に一時貯留可能とするよう周縁に枠部を有することを特徴とする請求項３記載の遊技媒体洗浄装置。
【請求項５】
前記板状部材は、前記洗浄液供給手段により供給される洗浄液を受けて前記搬送部材の搬送面上に該搬送面の幅方向に拡散して散布可能とするよう配置した複数の切欠あるいは切抜孔からなる散布部を有し、該板状部材が前記洗浄液供給手段により供給される洗浄液を受け、前記散布部により前記搬送部材の搬送面上に洗浄液を散布することを特徴とする請求項３または４記載の遊技媒体洗浄装置。
【発明の詳細な説明】
【技術分野】
【０００１】
本発明は、遊技用メダル等の遊技媒体に洗浄液をかけて洗浄する遊技媒体洗浄装置に関する。
【背景技術】
【０００２】
遊技用メダル等の遊技媒体をコンベアのベルト面に載置して搬送し、その搬送途中のベルト面上に洗浄液を供給して遊技媒体を洗浄する遊技媒体洗浄装置が従来から知られている（例えば、特許文献１参照。）。また、特に、ノズルを使用して洗浄液を供給する遊技媒体洗浄装置の場合に、洗浄液が供給されているかどうかを検知する手段として、図６に示すように、洗浄液を放出するノズル３０の直下位置に水車状部材３１を配置して、それを回転軸３２の一端に連結し、回転軸３２の他端偏心位置に回転軸２２と一体に回転する検知片３３を設け、この検知片３３に対向して装置本体フレーム側に光検知式のセンサ３４を設けて、検知片３３が回転してセンサ３４の遮光・通光が繰り返されることで水車状部材３１の回転を検知し、それにより、洗浄液供給状態を検知するようにしたものが従来から知られている。
【特許文献１】特開２００２−２３９１８８号公報
【発明の開示】
【発明が解決しようとする課題】
【０００３】
しかしながら、遊技媒体洗浄装置に洗浄液が供給されているかどうかを検知するための上記従来の水車状部材を使用する検知手段では、長時間使用すると水車状部材に水垢等の汚れが水車状部材に付着して、水車状部材の動作が悪くなり、洗浄液供給状態を適正に検知できなくなるといった問題があった。
【０００４】
また、遊技媒体は十分に洗浄液がかからなければ洗浄を確実に行えないが、従来の遊技媒体洗浄装置は、供給される洗浄液の拡散が十分でなく、そのため、洗浄液がかからない遊技媒体があって、洗浄不良を防止できないという問題があった。特に、ノズルを使用して洗浄液を供給する遊技媒体洗浄装置では、水車状部材を使用する検知手段を設けることにより、洗浄液が供給されているかどうかは検知でき、また、水車状部材に洗浄液が当たることで、洗浄液をある程度は拡散できるが、それによって搬送面の幅方向全域に洗浄液を行き渡らすことはできず、洗浄液が十分にかからない遊技媒体は洗浄を確実に行えない。
【０００５】
本発明は、簡単な構成で確実に洗浄液の供給を検知することができるとともに、搬送面幅方向の全域に均一に洗浄液を拡散し散布して遊技媒体の洗浄を確実に行うことができる遊技媒体洗浄装置を提供することを目的とする。
【課題を解決するための手段】
【０００６】
本発明の遊技媒体洗浄装置は、遊技媒体を搬送面に載置して搬送する搬送部材を有する搬送手段と、搬送部材の搬送面上に洗浄液を供給する洗浄液供給手段とを備えた遊技媒体洗浄装置において、洗浄液供給手段により搬送部材の搬送面上に供給される洗浄液を該搬送部材の搬送面の直上方で受ける位置に、洗浄液供給手段により供給される洗浄液を受けることによって該洗浄液供給手段による洗浄液供給状態を検知するとともに、洗浄液供給手段により供給される洗浄液を搬送部材の搬送面上に該搬送面の幅方向に拡散して散布する検知・拡散手段を設けたことを特徴とする。
【０００７】
この遊技媒体洗浄装置は、洗浄液供給手段により供給される洗浄液を該搬送部材の搬送面の直上方で受ける位置に設ける検知・拡散手段が、洗浄液供給状態を検知する検知機能と、洗浄液を搬送面の幅方向に拡散して散布する拡散機能とを兼ね備える構成であって、部品点数の少ない簡単な構成で、水垢等の付着によって妨げられることなく確実に洗浄液の供給を検知でき、また、搬送面の幅方向に均一に洗浄液を拡散し散布して遊技媒体の洗浄を確実に行える。
【０００８】
この遊技媒体洗浄装置は、検知・拡散手段が、洗浄液供給手段により供給される洗浄液を受けて搬送部材の搬送面上に該搬送面の幅方向略全域に拡散して散布可能とするよう配置した複数の切欠あるいは切抜孔からなる散布部を有し、該散布部により搬送部材の搬送面上に洗浄液を散布するようにするのがよい。
【０００９】
このように検知・拡散手段が複数の切欠あるいは切抜孔からなる散布部を有するものとすることで、簡単な構成で、搬送面の幅方向に均一に洗浄液を拡散し散布して遊技媒体の洗浄を確実に行うことができる。
【００１０】
また、この遊技媒体洗浄装置は、検知・拡散手段が、搬送部材の搬送面の直上方で傾動可能に軸支された板状部材を備え、該板状部材が洗浄液供給手段により供給される洗浄液を受けて傾動することにより該洗浄液供給手段による洗浄液供給状態を検知するようにするのがよい。
【００１１】
このように構成された検知・拡散部材を有する遊技媒体洗浄装置は、板状部材が洗浄液を受けて傾動することにより、部品点数の少ない簡単な構成で、水垢等の付着によって妨げられることなく確実に洗浄液の供給を検知でき、また、搬送面の幅方向に均一に洗浄液を拡散し散布して遊技媒体の洗浄を確実に行うことができる。
【００１２】
そして、その板状部材は、洗浄液供給手段により供給される洗浄液を該板状部材上に一時貯留可能とするよう周縁に枠部を有するものとするのがよい。
【００１３】
板状部材にそのような枠部を設けることで、洗浄液供給手段から供給される洗浄液の動圧と貯留された洗浄液の重みの両方で確実に板状部材が傾動するため、洗浄液供給状態を一層確実に検知できる。
【００１４】
そして、この遊技媒体洗浄装置は、板状部材が、洗浄液供給手段により供給される洗浄液を受けて搬送部材の搬送面上に該搬送面の幅方向略全域に拡散して散布可能とするよう配置した複数の切欠あるいは切抜孔からなる散布部を有し、該板状部材が洗浄液供給手段により供給される洗浄液を受け、散布部により搬送部材の搬送面上に洗浄液を散布するようにするのがよい。
【００１５】
このように板状部材に複数の切欠あるいは切抜孔からなる散布部を設けることで、簡単な構成で、搬送面の幅方向略全域に均一に洗浄液を拡散し散布して遊技媒体の洗浄を確実に行うことができる。
【発明の効果】
【００１６】
このように、本発明の遊技媒体洗浄装置によれば、部品点数の少ない簡単な構成で確実に洗浄液の供給を検知できるとともに、搬送面の幅方向略全域に均一に洗浄液を拡散し散布して遊技媒体の洗浄を確実に行える。
【００１７】
また、本発明の遊技媒体洗浄装置は、特に、搬送部材の搬送面の直上方で傾動可能に軸支された板状部材が洗浄液供給手段により供給される洗浄液を受けて傾動することにより洗浄液供給状態を検知するよう構成することで、部品点数の少ない簡単な構成で、水垢等の付着によって妨げられることなく確実に洗浄液の供給を検知でき、また、搬送面の幅方向略全域に均一に洗浄液を拡散し散布して遊技媒体の洗浄を確実に行うことができる。
【００１８】
また、その場合、特に、洗浄液を一時貯留可能とするよう板状部材の周縁に枠部を設けた構成とすることで、供給される洗浄液の動圧と貯留された洗浄液の重みの両方で板状部材が傾動し、洗浄液供給状態を一層確実に検知できる。
【００１９】
また、特に、板状部材に複数の切欠あるいは切抜孔からなる散布部を設けることで、簡単な構成で、搬送面の幅方向略全域に均一に洗浄液を拡散し散布して遊技媒体の洗浄を確実に行うことができる。
【発明を実施するための最良の形態】
【００２０】
以下、本発明の実施形態を図面に基づいて説明する。
図１〜図４は、本発明の実施形態の一例を示している。図１は遊技媒体洗浄装置の全体概略図、図２は検知・拡散手段を構成する板状部材の斜視図、図３は検知・拡散手段を構成する板状部材の上面図、図４は検知・拡散手段の洗浄液供給停止時の動作図（ａ）および洗浄液供給時の動作図（ｂ）である。
【００２１】
図１に示すように、この実施形態の遊技媒体洗浄装置は、本体フレーム１の内部に、搬送手段として、遊技媒体である例えばメダル（遊技用メダル）を搬送面に載置して搬送する搬送部材である無端形状のベルト２と、ベルト２を駆動する駆動ローラ３と、駆動ローラ３に対し斜め下方に配置されベルト２の動作に伴って回転する従動ローラ４とから成るベルトコンベア５を備え、ベルトコンベア５の下方に、洗浄液を貯留するタンク６と、タンク６内の洗浄液を吸い出してベルト２上へ送り出すポンプ７が設置されている。
【００２２】
そして、ベルトコンベア５の上方には、ベルト搬送面（ベルト２の搬送面）上方で、駆動ローラ３側に寄った搬送面幅方向中央付近に、ポンプ７から送り出された洗浄液をベルト２の搬送面上に供給する洗浄液供給手段としてノズル８が配置されている。
【００２３】
また、ベルト２の搬送面直上方で、ノズル８により供給される洗浄液を受けるノズル８直下方の位置に、ノズル８により供給される洗浄液を受けることによって洗浄液供給状態を検知するとともに、ノズル８により供給される洗浄液をベルト２の搬送面上に該搬送面の幅方向略全域に拡散して散布する検知・拡散手段を構成する板状部材９が配設されている。
【００２４】
また、ベルト搬送面直上方で、洗浄液が供給される位置よりも駆動ローラ３側に寄った位置からコンベア後部の駆動ローラ３の位置にかけて、ベルト搬送面と略同幅の平板状で、洗浄液がかかったメダルをベルト２との間に挟み込むことで洗浄研磨する洗浄研磨板１０が配設され、その後方に、遊技媒体に付着した洗浄液を拭き取る吸水ローラ１１が設けられている。
【００２５】
本体フレーム１は、図１に示すように傾斜した樋部１２を構成している。ベルトコンベア５、ノズル８、板状部材９、洗浄研磨板１０および吸水ローラ１１は、樋部１２の内部に配置されている。そして、樋部１２は、傾斜して下がった底面に下端部分に、タンク６に向けて洗浄液回収用の開口１３が設けられ、頂面部分に、遊技用メダルが投入される投入口１４が設けられ、樋部１２の後端部分に、洗浄済みのメダルを排出する排出口１５が設けられている。
【００２６】
この遊技媒体洗浄装置では、未洗浄のメダルが投入口１４から投入される。そして、そのメダルは、ベルト２上に載置されて搬送され、その搬送途中でノズル８から供給された洗浄液が板状部材９を介してメダルにふりかけられて、洗浄研磨板１０とベルト２との間で洗浄研磨され、その後、吸水ローラ１１によって洗浄液が吸水され、乾燥した状態で排出口１５から排出される。
【００２７】
板状部材９は、ベルト搬送面の幅方向略全域にわたる大きさで、図２および図３に示すように、ノズル８からの洗浄液を受ける略矩形の水平な受け面１６を有し、周縁に、ノズル８から供給された洗浄液を一時的に貯留可能とするよう受け面１６を縁状に取り囲む枠部１７が設けられ、その枠部１７の、コンベア搬送方向（図１に矢印で示す）の上流側に位置する前縁部分に、ベルト搬送面幅方向の略全域にわたり、受け面１６に洗浄液をベルト搬送面の幅方向略全域に拡散して散布可能とするよう、ノズル８直下であるベルト搬送面幅方向中央付近では間隔が大きく、ベルト搬送面幅方向の両端に近いほど間隔が小さくなる配置で、切抜孔からなる複数の散布孔１８（散布部）が設けられている。なお、散布部は、切抜孔に代えて切欠とすることもできる。
【００２８】
このような板状部材９をノズル８直下方に設けることで、ノズル８から供給された洗浄液を、受け面１６上に一時的に貯留し、受け面１６の端縁部付近まで洗浄液が行き渡るようにして、散布孔１８からベルト２の搬送面上に幅方向略全域に拡散して散布し、洗浄するメダルに均等に振りかけることができる。
【００２９】
また、板状部材９は、枠部１７の、ベルト搬送面幅方向両端の側縁部分が、板状部材９の散布孔１８から遠い側（コンベア搬送方向下流側）でＬ字形に拡張され、重心が、後側すなわち散布孔８から遠い側（コンベア搬送方向下流側）に大きく片寄るよう構成されて、ベルト搬送面幅方向両端の側縁部分のL字形拡張部分を貫通してベルト搬送面幅方向に配設された回転軸１９により、ベルト搬送面直上方において板状部材９が傾動可能な範囲で重心が僅かにコンベア搬送方向下流側（散布孔３から遠い側）となるよう支持されている。
【００３０】
そして、ノズル８からの洗浄液の供給が停止している時に、板状部材９の受け面１６がノズル８の放出方向に対し垂直となるよう、図４に示すように、板状部材７の受け面１６がノズル８の放出方向に対し垂直となる位置で枠体１７に当接して板状部材９を係止するストッパー２０が設けられている。板状部材９は、回転軸１９に対し後方に重心があるため、ノズル８からの洗浄液の供給が停止している時は、前側すなわちコンベア搬送方向上流側（散布孔３に近い側）が持ち上がろうとし、図４の（ａ）に示すように、ストッパー２０に当たって、受け面１６がノズル８の放出方向に対し垂直となる位置で停止する。そして、ノズル８から洗浄液が供給されると、板状部材９は、供給される洗浄液の動圧と、枠部１７により受け面１６上に一次貯留された洗浄液の重みにより、図４の（ｂ）に示すように、回動軸１９を支点として散布孔１８が設けられている側が下方すなわちベルト２の搬送面に近づく方向へ傾く。
【００３１】
そして、板状部材９が洗浄液供給停止時の位置（受け面１６がノズル８の放出方向に対し垂直となる位置）にある時には、図４の（ａ）に示すように、板状部材９の散布孔１８から遠い側（コンベア搬送方向下流側）のベルト搬送面幅方向両端の側縁部分のＬ字形拡張部分から上方に外れて通光状態となり、板状部材９が洗浄液供給時の位置（前側に傾いた位置）にある時には、図４の（ｂ）に示すようにＬ字形拡張部分に隠れて遮光状態となり、それにより、板状部材９の傾動状態を検知できるよう光検知式のセンサ２１が設けられている。そして、センサ２１が遮光状態となるまで板状部材９が傾動したことを検知して、ノズル８から洗浄液が供給されていることを検知するようにしている。
【００３２】
なお、この実施形態では、板状部材９は、回転軸１９に対し後方に重心があることによって前側が持ち上るようになっているが、バネ等で前側を持ち上がるようにすることも可能である。このようにバネ等を利用する場合には、ノズル８から洗浄液が供給された時に、バネ等の付勢力に抗して板状部材９が傾動するように付勢力を設定する。
【００３３】
ノズル８から洗浄液が供給されている時の板状部材９の動作は次のとおりである。
タンク６内の洗浄液がポンプ７で吸い出されノズル８から放出されると、その放出された洗浄液は、板状部材９の受け面１６に当り、枠部１７に囲まれた受け面１６上に一時的に貯留される。そして、その放出された洗浄液の圧力（動圧）と、一時的に貯留された洗浄液の重みで、図４の（ｂ）に示すように、板状部材９がベルト２の搬送面へ向かって前向きに傾いて、センサ２１の光線が遮られる。これにより、センサ２１は、板状部材９が傾いたことを検知し、板状部材９の受け面１６にノズル８から洗浄液が供給されていることを検知する。また、このとき、板状部材９が前向きに傾くことにより、枠部１７に囲まれ受け面１６上に一時的に貯留されている洗浄液が、散布孔１８を通ってベルト２の搬送面上へ散布される。
【００３４】
また、ノズル８からの洗浄液の供給が停止している時の板状部材９の動作は次のとおりである。
ポンプ７等の故障により、タンク６内の洗浄液をノズル８から正常に放出できなくなると、板状部材９の受け面１６に当たる洗浄液の動圧がなくなり、一時貯留されていた洗浄液もなくなるために、板状部材９は、重心が回転軸１９の後方にあることによって、散布孔１８が位置する前側が持ち上がって、図４の（ａ）に示すように、ストッパー２０で規制されて受け面１６がノズル８の放出方向に対し垂直となる位置まで戻る。これにより、センサ２１は光線が板状部材９で遮られなくなり、通光状態となって、板状部材９が傾いていないことを検知し、板状部材９の受け面１６にノズル８から洗浄液が供給されていないことを検知する。そして、遊技媒体洗浄装置の制御部（図示せず）に洗浄液が供給されていないことを知らせる。
【００３５】
以上、実施形態の一例を説明したが、本発明は、その他、様々な態様で実施することができる。
図５は、本発明の実施形態の遊技媒体洗浄装置の検知・拡散手段を構成する板状部材の他の例を示す背面図（ａ）および上面図（ｂ）である。
【００３６】
この例では、板状部材９に枠部を設けず、受け面１６を、ノズル８が位置する付近を頂点としてベルト搬送面幅方向の両側の側縁部に向けて徐々に傾斜させるとともに、受け面１６に、ベルト搬送面幅方向に並ぶ配置で複数の散布孔１８を設けている。そして、それら複数の散布孔１８は、受け面１２の頂点付近では短く（小さく）、側縁部に近いほど徐々に長く（大きく）し、それにより、洗浄液を拡散し均等に散布できるようにしている。
【図面の簡単な説明】
【００３７】
【図１】本発明の実施形態の遊技媒体洗浄装置の全体概略図である。
【図２】本発明の実施形態の遊技媒体洗浄装置の検知・拡散手段を構成する板状部材の斜視図である。
【図３】本発明の実施形態の遊技媒体洗浄装置の検知・拡散手段を構成する板状部材の上面図である。
【図４】本発明の実施形態の遊技媒体洗浄装置の検知・拡散手段の動作を示すもので、（ａ）は洗浄液供給停止時の動作図、（ｂ）は洗浄液供給時の動作図である。
【図５】本発明の実施形態の遊技媒体洗浄装置の検知・拡散手段を構成する板状部材の他の例を示すもので、（ａ）は背面図、（ｂ）は上面図である。
【図６】従来の遊技媒体洗浄装置の検知手段の概略図である。
【符号の説明】
【００３８】
１  本体フレーム
２  ベルト
３  駆動ローラ
４  従動ローラ
５  ベルトコンベア
６  タンク
７  ポンプ
８  ノズル
９  板状部材
１０  洗浄研磨板
１１  吸水ローラ
１２  樋部
１３  開口
１４  投入口
１５  排出口
１６  受け面
１７  枠部
１８  散布孔
１９  回転軸
２０  ストッパー
２１  センサ
【図１】
2009011503.tif 000003
【図２】
2009011503.tif 000004
【図３】
2009011503.tif 000005
【図４】
2009011503.tif 000006
【図５】
2009011503.tif 000007
【図６】
2009011503.tif 000008